(57)【要約】【課題】ボルト状部材とナット状部材との間の締付け量を一定化することのできる芝刈機のハンドル固定装置を提供する。【解決手段】電動芝刈機は、芝刈機本体に設けた第１のハンドル部材３０と、第１のハンドル部材３０に対して折畳み及び展開可能に連結した第２のハンドル部材３２とを備える。ハンドル固定装置３６は、両ハンドル部材３０，３２を回動可能に連結するボルト状部材５３及びナット状部材５５と、ナット状部材５５にスプリングピン７４を介して回動可能に連結されたレバー状部材５７とを備える。レバー状部材５７の回動操作により、ボルト状部材５３とレバー状部材５７との間に両ハンドル部材３０，３２を締付けて挟持する固定状態とその挟持を解除する固定解除状態とに切替える。スプリングピン７４はボルト状部材５３とナット状部材５５との間の締付け量を所定量に規定する。【選択図】図４
2015097476.tif 000002
【特許請求の範囲】
【請求項１】
芝刈機本体に設けられた支持側部材と、該支持側部材に対して折畳み及び展開可能に連結された可動側部材とを備える芝刈機において、前記支持側部材と前記可動側部材とを解除可能に固定する芝刈機のハンドル固定装置であって、
前記支持側部材と前記可動側部材とを回動可能に連結するボルト状部材及びナット状部材と、
前記ボルト状部材及び前記ナット状部材のいずれか一方の部材にピン状部材を介して回動可能に連結されたレバー状部材と
を備え、
前記レバー状部材の回動操作によって、前記ボルト状部材及び前記ナット状部材の残りの部材と該レバー状部材との間に前記支持側部材と前記可動側部材とを締付けて挟持する固定状態とその挟持を解除する固定解除状態とに切替え可能に構成され、
前記ボルト状部材と前記ナット状部材との間に、両者間の締付け量を所定量に規定する締付け量規定手段が設けられている
ことを特徴とする芝刈機のハンドル固定装置。
【請求項２】
請求項１に記載の芝刈機のハンドル固定装置であって、
前記一方の部材は前記ナット状部材であり、前記ピン状部材は前記締付け量規定手段を兼用することを特徴とする芝刈機のハンドル固定装置。
【発明の詳細な説明】
【技術分野】
【０００１】
本発明は、芝生等の刈込みに用いる芝刈機のハンドル固定装置に関する。
【背景技術】
【０００２】
芝刈機のハンドル固定装置は、芝刈機本体に設けられた支持側部材と、支持側部材に対して折畳み及び展開可能に連結された可動側部材とを備える芝刈機において、支持側部材と可動側部材とを解除可能に固定するものである。ハンドル固定装置としては、一般的には、支持側部材と可動側部材とを回動可能に連結するボルト状部材及びナット状部材が用いられている。ボルト状部材とナット状部材とを締付けることにより、支持側部材と可動側部材とを締付けて挟持する。この状態が固定状態である。また、固定状態において、ボルト状部材とナット状部材とを緩めることにより、支持側部材と可動側部材との挟持を解除する。この状態が固定解除状態である。固定解除状態では、支持側部材と可動側部材とを回動することにより折畳んだり、展開したりすることができる。しかし、支持側部材と可動側部材との折畳み及び展開に際して、一々、ボルト状部材とナット状部材とを緩めたり、締付けたりするという煩雑な操作が必要で、その改善が望まれている。
【０００３】
また、レバー操作によって、二部材を締付けて挟持する固定状態とその挟持を解除する固定解除状態とに切替えるようにした固定装置が提案されている（例えば、特許文献１参照）。この固定装置によると、簡単なレバー操作により、二部材を固定したり、その固定を解除したりすることができる。
【先行技術文献】
【特許文献】
【０００４】
【特許文献１】特開２００６−３２６８２９号公報
【発明の概要】
【発明が解決しようとする課題】
【０００５】
前記特許文献１によると、ねじ付きボルト（本明細書でいう「ボルト状部材」に相当する）と調整ボルト（同、「ナット状部材」）との締付け具合すなわち両者間の締付け量によって、二部材に対する締付け荷重が変化する。例えば、ねじ付きボルトと調整ボルトとを締付けすぎると、レバー状部材の切替え操作がしづらくなる。また、ねじ付きボルトと調整ボルトとの締付けが不足すると、二部材の固定不良を生じることなる。また、特許文献１の固定装置を芝刈機のハンドル固定装置として適用した場合、ねじ付きボルトと調整ボルトとの締付け具合は、芝刈機の使用者によって行われることになる。このため、その締付けにかかる調整が難しいという問題があった。
そこで、本発明の目的は、ボルト状部材とナット状部材との間の締付け量を一定化することのできる芝刈機のハンドル固定装置を提供することにある。
【課題を解決するための手段】
【０００６】
第１の発明は、芝刈機本体に設けられた支持側部材と、支持側部材に対して折畳み及び展開可能に連結された可動側部材とを備える芝刈機において、支持側部材と可動側部材とを解除可能に固定する芝刈機のハンドル固定装置であって、支持側部材と可動側部材とを回動可能に連結するボルト状部材及びナット状部材と、ボルト状部材及びナット状部材のいずれか一方の部材にピン状部材を介して回動可能に連結されたレバー状部材とを備え、レバー状部材の回動操作によって、ボルト状部材及びナット状部材の残りの部材とレバー状部材との間に支持側部材と可動側部材とを締付けて挟持する固定状態とその挟持を解除する固定解除状態とに切替え可能に構成され、ボルト状部材とナット状部材との間に、両者間の締付け量を所定量に規定する締付け量規定手段が設けられている。この構成によると、締付け量規定手段によりボルト状部材とナット状部材との間の締付け量を所定量（適正量）に一定化することができる。したがって、支持側部材及び可動側部材に対する締付け荷重を一定化することができる。これにより、従来必要とされた芝刈機の使用者によるボルト状部材とナット状部材との締付け具合の調整を不要とし、芝刈機の利便性及び取扱性を向上することができる。
【０００７】
第２の発明は、第１の発明において、一方の部材はナット状部材であり、ピン状部材は締付け量規定手段を兼用する。この構成によると、締付け量規定手段としての専用の部材を設ける必要がなく、構造を簡素化することができる。
【図面の簡単な説明】
【０００８】
【図１】実施形態１に係る電動芝刈機の使用状態を示す斜視図である。
【図２】芝刈機本体にハンドルを折畳んだ状態を示す斜視図である。
【図３】ハンドルの両ハンドル部材を折畳んだ状態を示す斜視図である。
【図４】ハンドル固定装置の固定状態を示す断面図である。
【図５】ハンドル固定装置の固定状態を示す側面図である。
【図６】図４のVI−VI線矢視断面図である。
【図７】ハンドル固定装置の固定解除状態を示す断面図である。
【図８】図７のVIII−VIII線矢視断面図である。
【図９】ハンドル固定装置を分解して示す断面図である。
【図１０】実施形態２にかかるハンドル固定装置を示す断面図である。
【図１１】実施形態３にかかるハンドル固定装置を示す断面図である。
【発明を実施するための形態】
【０００９】
以下、本発明を実施するための形態について図面を用いて説明する。
【００１０】
［実施形態１］
実施形態１を説明する。本実施形態では、芝刈機として手押し式の電動芝刈機を例示する。図１は電動芝刈機の使用状態を示す斜視図、図２は芝刈機本体にハンドルを折畳んだ状態を示す斜視図、図３はハンドルの両ハンドル部材を折畳んだ状態を示す斜視図である。説明の都合上、電動芝刈機の前後上下の各方向は、電動芝刈機が使用者によって芝刈りに使用される際の姿勢（「通常姿勢」という）を基準とし、電動芝刈機を使用する使用者から見た各方向に対応する（図１参照）。
【００１１】
図１に示すように、電動芝刈機１０は、芝刈機本体１１及び手押し用ハンドル１２を備えている。芝刈機本体１１は、デッキ１４及びカウリング１６を備えている。デッキ１４の前後左右の四隅部に、左右一対の前輪１８及び左右一対の後輪１９（図１では右側の後輪は不図示）が配置されている。また、デッキ１４上には電動モータ（不図示）及びモータコントローラ（不図示）等が設置されている。電動モータの出力軸には、例えばロータリー刃式の刈込み刃（不図示）が連結されている。刈込み刃は、電動モータにより回転駆動されることにより芝等を刈取る。また、刈込み刃の周辺部はデッキ１４により取り囲まれている。また、カウリング１６は、電動モータを覆うようにデッキ１４上に取付けられている。
【００１２】
前記カウリング１６の上面の中央部には、左右２個のバッテリ２１が着脱可能に収納されている。バッテリ２１は、芝刈機本体１１から取外し、別途用意された充電器（不図示）によって充電することにより、繰り返し使用することができる充電式のバッテリパックである。また、バッテリ２１としては、例えば、ねじ締め機やマルノコ等の電動工具用のリチウムイオンバッテリパックが用いられている。すなわち、電動芝刈機１０は、バッテリ２１を電源とするコードレスタイプの電動芝刈機である。
【００１３】
前記カウリング１６上には、前記両バッテリ２１を開閉可能に覆うバッテリカバー２３が設けられている。また、カウリング１６の後端部上にはキャリングハンドル２５が設けられている。キャリングハンドル２５は、使用者が電動芝刈機１０を持ち運ぶ際に把持する手持ち式のハンドルである。また、芝刈機本体１１の後側部には、刈取った芝等を溜めておくための刈取りボックス２７が着脱可能に設けられている。
【００１４】
前記ハンドル１２は、前記芝刈機本体１１の後上部に対して後方斜め上方に延びるように設けられている。ハンドル１２は、前側のハンドル部材３０と後側のハンドル部材３２とにより構成されている。前側のハンドル部材３０を第１のハンドル部材３０といい、後側のハンドル部材３２を第２のハンドル部材３２という。
【００１５】
前記第１のハンドル部材３０は、例えば金属製の丸パイプ材によりＵ字枠状に形成されている。第１のハンドル部材３０の左右の両側枠部（符号、３０ａを付す）の先端部（自由端部）は、前記芝刈機本体１１の左右の両ハンドル取付部（不図示）に対してそれぞれハンドル固定ねじ３４により回動可能にかつ解除可能に固定すなわち締着されている。これにより、芝刈機本体１１に対して第１のハンドル部材３０が折畳み及び展開可能に連結されている。なお、図１には芝刈機本体１１に対する第１のハンドル部材３０の展開状態が示されている。また、図２には芝刈機本体１１に対する第１のハンドル部材３０の折畳み状態が示されている。また、展開状態での第１のハンドル部材３０は、前記刈取りボックス２７の上方近くに配置される（図１参照）。
【００１６】
前記第２のハンドル部材３２は、例えば金属製の丸パイプ材によりＵ字枠状に形成されている。第２のハンドル部材３２の左右の両側枠部（符号、３２ａを付す）は、前記第１のハンドル部材３０の両側枠部３０ａの外側に沿うように配置されている。第２のハンドル部材３２の両側枠部３２ａの先端部（自由端部）は、前記第１のハンドル部材３０の両側枠部３０ａの後端部に対してそれぞれハンドル固定装置３６（後述する）により回動可能にかつ解除可能に固定すなわち締着されている。これにより、第１のハンドル部材３０に対して第２のハンドル部材３２が折畳み及び展開可能に連結されている。なお、図１には第１のハンドル部材３０に対する第２のハンドル部材３２の展開状態が示されている。また、図３には第１のハンドル部材３０に対する第２のハンドル部材３２の折畳み状態が示されている。また、第２のハンドル部材３２の展開状態及び折畳み状態において、第１のハンドル部材３０の側枠部３０ａと第２のハンドル部材３２の側枠部３２ａとは、側方から見て一直線状をなすものとする（図１及び図３参照）。
【００１７】
図１に示すように、前記第２のハンドル部材３２の中央枠部は、手押し用の把持部３８となっている。また、第２のハンドル部材３２の両側枠部３２ａの間には、Ｕ字枠状のスイッチレバー４０が上下方向に所定範囲内で傾動可能に架設されている。第２のハンドル部材３２の右側の側枠部３２ａには、スイッチレバー４０により操作されるスイッチ装置４２が設けられている。使用者は、電動芝刈機１０の後側において、ハンドル１２の第２のハンドル部材３２の把持部３８を把持して、芝刈機本体１１を前方へ押動させることにより芝刈作業を行う。また、使用者は、ハンドル１２の把持部３８を把持した手の指先で、スイッチレバー４０を上下に傾動させることにより、スイッチ装置４２内の起動スイッチ（不図示）をオンオフ操作させることができる。起動スイッチがオンされると、その信号が配線４４及び前記モータコントローラを介して前記電動モータが起動される。また、スイッチレバー４０は、内蔵のスプリング（不図示）によって常にオフ側に付勢されている。
【００１８】
前記電動芝刈機１０の非使用時には、使用状態（図１参照）における両ハンドル固定ねじ３４を緩め、ハンドル１２をハンドル固定ねじ３４のねじ軸（不図示）回りに前方（図２中、矢印Ｙ１参照）へ回動する。これにより、ハンドル１２を芝刈機本体１１上に折畳むことができる（図２参照）。このとき、ハンドル固定装置３６が固定状態にあるため、ハンドル１２の第１のハンドル部材３０と第２のハンドル部材３２は展開状態を維持する。また、ハンドル１２の回動後、両ハンドル固定ねじ３４を締付けることにより、芝刈機本体１１にハンドル１２を固定することができる。また、図２において、刈取りボックス２７（図１参照）は芝刈機本体１１から取外されている。
【００１９】
続いて、両ハンドル固定装置３６（後述する）を固定解除状態とし、第２のハンドル部材３２を両ハンドル部材３０，３２の連結軸（後述するボルト６１参照）回りに後方（図２中、矢印Ｙ２参照）へ回動する。これにより、第２のハンドル部材３２を第１ハンドル部材３０に対して二つ折り状に折畳むことができる（図３参照）。また、第２のハンドル部材３２の回動後、両ハンドル固定装置３６を固定状態とすることにより、第１ハンドル部材３０に第２のハンドル部材３２を固定することができる。このようにして、電動芝刈機１０が格納状態とされる。
【００２０】
また、図３に示すように、前記芝刈機本体１１の後側には左右一対の支持脚部４６が設けられている。電動芝刈機１０の格納状態において、芝刈機本体１１を前方を上方に向けて支持脚部４６を地面上に当接させることにより、芝刈機本体１１を自立させておくことができる。このため、芝刈機本体１１をコンパクトに格納することができる。
【００２１】
次に、ハンドル固定装置３６について説明する。左右の両ハンドル固定装置３６は、左右対称状をなすものであるから、右側のハンドル固定装置３６について説明し、左側のハンドル固定装置３６についての説明は省略する。図４はハンドル固定装置の固定状態を示す断面図、図５は同じく側面図、図６は図４のVI−VI線矢視断面図、図７はハンドル固定装置の固定解除状態を示す断面図、図８は図７のVIII−VIII線矢視断面図、図９はハンドル固定装置を分解して示す断面図である。
である。
【００２２】
本実施形態では、電動芝刈機１０（図１参照）のハンドル１２の前記第１のハンドル部材３０が本明細書でいう「支持側部材」に相当し、前記第２のハンドル部材３２が本明細書でいう「可動側部材」に相当するものとして、ハンドル固定装置３６が構成されている。また、図９に示すように、第１のハンドル部材３０の側枠部３０ａ及び第２のハンドル部材３２の側枠部３２ａには、半径方向詳しくは左右方向に一連状に貫通する円形状のボルト挿通孔５０，５１が形成されている。また、第２のハンドル部材３２の側枠部３２ａは、左右方向に扁平化されかつ第１のハンドル部材３０の側枠部３０ａの側面の一部に嵌合可能な断面円弧状に形成されている（図６参照）。
【００２３】
図９に示すように、ハンドル固定装置３６は、ボルト状部材５３、ナット状部材５５、レバー状部材５７及びワッシャ状部材５９を備えている。説明の都合上、各部材について説明した後、各部材の組み付けについて説明する。
ボルト状部材５３は、ボルト６１と被覆部材６２とを有している。ボルト６１は、例えば金属製の六角ボルトである。被覆部材６２は、樹脂製で、ボルト６１の頭部（符号、６１ａを付す）の周囲を覆うように一体形成されている。また、被覆部材６２の内端面すなわちボルト６１の軸部（符号、６１ｂを付す）側の端面には、断面円弧状の凹溝面６３が形成されている。凹溝面６３は、前記第１のハンドル部材３０の側枠部３０ａの外側面（第２のハンドル部材３２の側枠部３２ａ側とは反対側の側面）に部分的に嵌合可能に形成されている（図６参照）。なお、ボルト６１は本明細書でいう「連結軸」に相当する。また、軸部６１ｂの外周面には全長に亘って雄ねじが形成されている。
【００２４】
前記ナット状部材５５は、ナット６５及びホルダ６６を有している。ナット６５は、例えば金属製の六角ナットである。ナット６５には、ボルト６１の軸部６１ｂの雄ねじと螺合可能な雌ねじを有するねじ孔６５ａが形成されている。
また、ホルダ６６は、例えば樹脂製で、筒状の周壁部６９と周壁部６９の一端開口部を閉鎖する端壁部７０とを有する有底筒状に形成されている。周壁部６９の内周面は、ナット６５を嵌合可能な中空六角筒状に形成されている。周壁部６９の外周面は、相互に平行をなす２つの平面からなる二面幅部７１を有する円筒状に形成されている。二面幅部７１は、周壁部６９の内周面の対向する一対の平面と平行をなしている（図５参照）。また、ホルダ６６の周壁部６９の二面幅部７１の中央部には、周壁部６９の半径方向（図９において紙面表裏方向）に貫通する円形状のピン孔７２が形成されている。また、端壁部７０には、円形状のボルト挿通孔７３が同心状に形成されている。
【００２５】
前記ナット状部材５５を構成するナット６５及びホルダ６６は、ナット状部材５５とレバー状部材５７（後述する）の連結に用いるスプリングピン７４を利用して組み付けられている。その組み付けについては後で説明する。また、スプリングピン７４は、金属製で軸方向に延びる割溝７４ａを有する円筒状に形成されている。スプリングピン７４は、弾性変形を利用してホルダ６６のピン孔７２内に圧入可能に形成されている。なお、スプリングピン７４は本明細書でいう「ピン状部材」、「回動軸」に相当する。
【００２６】
前記レバー状部材５７は、例えば樹脂製で、帯板状に形成されている。レバー状部材５７については肉厚方向（図９において上下方向）の片面（図９において上面）を表面といい、その他面（図９において下面）を裏面という。レバー状部材５７の本体部５７ａの一端部（基端部）の両側部には、四角形板状の一対のカム片７５が平行状に形成されている（図５及び図６参照）。一対のカム片７５には、円形状の一対のピン支持孔７６が形成されている。また、一対のカム片７５の端縁部には、カム片７５の先端側から裏面側に跨るカム面７７が形成されている。カム面７７は、先端側の第１のカム面部７７ａと、その裏面側の第３のカム面部７７ｃと、第１のカム面部７７ａと第３のカム面部７７ｃとをなだらかに接続する円弧状の第２のカム面部７７ｂとを有している。両カム片７５の第２のカム面部７７ｂ及び第３のカム面部７７ｃを含む裏面側端部（符号、７５ａを付す）は、レバー状部材５７の裏面側に張り出しているとともに、その張り出し方向の先端に向かって両カム片７５の相互間の間隔を次第に狭くするテーパ状に形成されている（図６参照）。また、両カム片７５の裏面側端部７５ａの一端部（本体部５７ａ側寄りの端部）は接続壁部７８により接続されている。なお、両カム片７５を含むレバー状部材５７の表面は一平面状に形成されている。
【００２７】
前記ワッシャ状部材５９は、例えば樹脂製で、円板状に形成されている。ワッシャ状部材５９の片面側には、軸線に直交する平坦面７９が形成されている。また、ワッシャ状部材５９の他面側には、断面円弧状の凹溝面８０が形成されている。凹溝面８０は、前記第２のハンドル部材３２の側枠部３２ａの外側面（第１のハンドル部材３０の側枠部３０ａ側とは反対側の側面）に部分的に嵌合可能に形成されている（図６参照）。また、ワッシャ状部材５９には、円形状のボルト挿通孔８１が同心状に形成されている。
【００２８】
次に、両ハンドル部材３０，３２に対するハンドル固定装置３６の構成部品（図９参照）の組み付けについて説明する。
まず、ナット状部材５５とレバー状部材５７とがスプリングピン７４により回動可能に連結される。これとともに、スプリングピン７４を利用してナット状部材５５のナット６５とホルダ６６とが組み付けられる。
【００２９】
すなわち、レバー状部材５７の両カム片７５（裏面側端部７５ａを除く）の間にホルダ６６が嵌合される。このとき、ホルダ６６の端壁部７０が両カム片７５の裏面側端部７５ａ側に向けられるとともに、二面幅部７１が両カム片７５に面接触状に当接又は近接するように配置される（図５参照）。また、ホルダ６６内にはナット６５が回り止めされた状態に嵌合される。そして、ホルダ６６の両ピン孔７２（図９参照）とレバー状部材５７の両カム片７５のピン支持孔７６（図９参照）とが同心状に整合された状態で、それらの孔７２，７６にスプリングピン７４が挿入される（図４〜図６参照）。これにより、ホルダ６６の両ピン孔７２内にスプリングピン７４が圧入されることにより、ホルダ６６にスプリングピン７４が固定状に配置される。
【００３０】
また、スプリングピン７４により、ナット６５がホルダ６６に抜け止めされている。また、ホルダ６６の端壁部７０（図９参照）とスプリングピン７４とにより、ナット６５がその軸方向に位置決めされている。また、スプリングピン７４の両端部は、レバー状部材５７の両カム片７５のピン支持孔７６（図９参照）内に回動可能に支持されている。このようにして、ナット状部材５５にスプリングピン７４を介してレバー状部材５７が回動可能に連結されているとともに、そのスプリングピン７４を利用してナット状部材５５のナット６５とホルダ６６とが組み付けられている。
【００３１】
次に、図７及び図８に示すように、ボルト状部材５３のボルト６１の軸部６１ｂは、第１のハンドル部材３０のボルト挿通孔５０（図９参照）に挿通した後、第２のハンドル部材３２のボルト挿通孔５１（図９参照）に挿通されている（図７参照）。さらに、第２のハンドル部材３２のボルト挿通孔５１から突出されたボルト６１の軸部６１ｂの先端部には、ワッシャ状部材５９のボルト挿通孔８１（図９参照）が嵌合されている。そして、ワッシャ状部材５９のボルト挿通孔８１から突出されたボルト６１の軸部６１ｂの先端部は、ナット状部材５５のホルダ６６のボルト挿通孔７３（図９参照）を通してナット６５のねじ孔６５ａ（図９参照）に螺合されている。なお、このとき、レバー状部材５７は、ボルト６１の軸方向に沿って延びる起立状態とされる。
【００３２】
そして、ナット状部材５５のナット６５には、ボルト状部材５３のボルト６１の軸部６１ｂの先端がスプリングピン７４に突き当たるまで螺合されている。これにより、ボルト状部材５３とナット状部材５５との間の締付け量が所定量（適正量）に規定されている。なお、スプリングピン７４は本明細書でいう「締付け量規定手段」に相当する。また、ボルト状部材５３とナット状部材５５との間の締付け量の所定量とは、設計者が意図する適正量に相当する。
【００３３】
また、この状態（図７及び図８参照）が「固定解除状態」に相当する。固定解除状態では、両ハンドル部材３０，３２をボルト６１の軸回りに回動することにより展開状態から折畳み状態としたり、折畳み状態から展開状態にしたりすることができる。また、図８に示すように、固定解除状態において、ボルト状部材５３の被覆部材６２の凹溝面６３（図９参照）を第１のハンドル部材３０の側枠部３０ａの外側面に面接触状に当接させると共に、ワッシャ状部材５９の凹溝面８０（図９参照）を第２のハンドル部材３２の側枠部３２ａの外側面に面接触状に当接させると、レバー状部材５７のカム面７７の第１のカム面部７７ａ（図９参照）とワッシャ状部材５９の平坦面７９（図９参照）との間に所定量（規定量）の隙間Ｓが形成されることになる。
【００３４】
前記ハンドル固定装置３６において、展開状態あるいは折畳み状態における両ハンドル部材３０，３２を固定するときには、レバー状部材５７をスプリングピン７４の軸回りに回動することにより傾倒させる（図７中、矢印Ｙ３参照）。すると、レバー状部材５７の両カム片７５のカム面７７の第２のカム面部７７ｂ（図９参照）がワッシャ状部材５９の平坦面７９（図９参照）に当接した後、摺動していき、最終的に第３のカム面部７７ｃ（図９参照）がワッシャ状部材５９の平坦面７９に当接する。これにより、ボルト状部材５３とレバー状部材５７との間に両ハンドル部材３０，３２を締付けて挟持することができる（図４〜図６参照）。この状態が「固定状態」に相当する。
【００３５】
また、固定状態において、レバー状部材５７をスプリングピン７４の軸回りに回動することにより起立させる（図４中、矢印Ｙ４参照）。これにより、両ハンドル部材３０，３２に対する挟持を解除する固定解除状態に切替えることができる（図７及び図８参照）。また、固定解除状態において、ボルト状部材５３とナット状部材５５とを緩めて分解することにより、両ハンドル部材３０，３２を分解することができる。また、ハンドル固定装置３６は、第１のハンドル部材３０に対して第２のハンドル部材３２を任意の角度位置で固定するようにしてもよい。
【００３６】
以上のように構成された本実施形態に係る電動芝刈機１０のハンドル固定装置３６によれば、スプリングピン７４によりボルト状部材５３とナット状部材５５との間の締付け量を所定量（適正量）に一定化することができる。したがって、両ハンドル部材３０，３２に対する締付け荷重を一定化することができる。これにより、従来必要とされた電動芝刈機１０の使用者によるボルト状部材５３とナット状部材５５との締付け具合の調整を不要とし、電動芝刈機１０の利便性及び取扱性を向上することができる。
【００３７】
また、ナット状部材５５にレバー状部材５７を回動可能に連結するスプリングピン７４が締付け量規定手段を兼用する。したがって、締付け量規定手段としての専用の部材を設ける必要がなく、構造を簡素化することができる。
【００３８】
［実施形態２］
実施形態２を説明する。本実施形態以降の実施形態は、前記実施形態１に変更を加えたものであるから、その変更部分について説明し、重複する説明は省略する。図１０はハンドル固定装置を示す断面図である。
図１０に示すように、本実施形態は、実施形態１におけるナット状部材５５のナット６５（図４参照）を袋状ナット８３に変更したものである。袋状ナット８３は、そのねじ孔（符号省略）の一端面を閉鎖する閉鎖壁部（符号、８３ｂを付す）を有している。袋状ナット８３には、閉鎖壁部８３ｂにボルト６１の軸部６１ｂの先端が突き当たるまで螺合されている。これにより、ボルト状部材５３とナット状部材５５との間の締付け量が所定量（適正量）に規定されている。なお、袋状ナット８３の閉鎖壁部８３ｂは本明細書でいう「締付け量規定手段」に相当する。
【００３９】
また、ボルト状部材５３のボルト６１とナット状部材５５の袋ナット８３とは逆配置とすることもできる。すなわち、被覆部材６２に袋ナット８３を配置することによりナット状部材を構成し、ホルダ６６内にボルト６１の頭部６１ａを配置することによりボルト状部材を構成してもよい。
【００４０】
［実施形態３］
実施形態３を説明する。本実施形態は、前記実施形態１に変更を加えたものである。図１１はハンドル固定装置を示す断面図である。
図１１に示すように、本実施形態は、実施形態１におけるボルト状部材５３のボルト６１（図４参照）を段付きボルト８５に代えたものである。段付きボルト８５は、頭部８５ａと段付き軸部８５ｂとを有している。段付き軸部８５ｂは、大径部分８５ｃと、大径部分８５ｃの先端面に突出する小径部分８５ｄとを有している。小径部分８５ｄの外周面に雄ねじが形成されている。大径部分８５ｃの外周面には雄ねじは形成されていない。
【００４１】
ナット状部材５５のナット６５には、段付きボルト８５の軸部８５ｂの大径部分８５ｃの先端面である段付面（符号、８５ｅを付す）が突き当たるまでその軸部８５ｂの小径部分８５ｄが螺合されている。これにより、ボルト状部材５３とナット状部材５５との間の締付け量が所定量（適正量）に規定されている。なお、段付きボルト８５の段付面８５ｅは本明細書でいう「締付け量規定手段」に相当する。
【００４２】
また、ボルト状部材５３の段付きボルト６１とナット状部材５５のナット６５とは逆配置とすることもできる。すなわち、被覆部材６２にナット６５を配置することによりナット状部材を構成し、ホルダ６６内に段付きボルト８５の頭部８５ａを配置することによりボルト状部材を構成してもよい。
【００４３】
［他の実施形態］
前記実施形態には種々変更を加えることができる。例えば、本発明のハンドル固定装置３６は、コードレスタイプの電動芝刈機１０に限らず、コード付きタイプの電動芝刈機に適用してもよい。また、本発明は、電動芝刈機１０に限らず、例えば折畳み自転車、ベビーカー、車椅子等のハンドル固定装置として適用してもよい。また、本発明のハンドル固定装置３６は、ハンドル１２に限らず、種々の二部材の固定装置として適用してもよい。また、ハンドル固定装置３６は、前記実施形態１におけるハンドル固定ねじ３４に代えて適用してもよい。この場合、芝刈機本体１１のハンドル取付部（不図示）が本明細書でいう「支持側部材」に相当し、第１のハンドル部材３０が本明細書でいう「可動側部材」に相当するものとして、ハンドル固定装置３６を構成すればよい。
【００４４】
また、両ハンドル部材３０，３２のボルト挿通孔５０，５１の少なくとも一方のボルト挿通孔５０，５１を、側枠部３０ａ，３２ａの軸方向に延びる長孔に形成することにより、展開状態における両ハンドル部材３０，３２の長さを調整可能に構成することができる。また、スプリングピン７４は、ホルダ６６の両ピン孔７２に圧入する中実状又は中空状の軸状部材、ホルダ６６の両ピン孔７２に螺合するボルト等に代えてもよい。また、両ハンドル部材３０，３２のうちの少なくとも一方のハンドル部材は、丸パイプ材に代え、角パイプ材、中実状の部材等により形成してもよい。また、ワッシャ状部材５９は省略してもよい。また、ボルト６１の軸部６１ｂの雄ねじは、軸部６１ｂの先端部のみに形成してもよい。また、レバー状部材５７のカム片７５のカム面７７は、前記実施形態に限らず、例えばスプリングピン７４に対して偏心するカム面、スプリングピン７４を中心とするインボリュート曲線からなるカム面等、適宜の形状に変更してもよい。
【符号の説明】
【００４５】
１０…電動芝刈機（芝刈機）
１１…芝刈機本体
３０…第１のハンドル部材（支持側部材）
３２…第２のハンドル部材（可動側部材）
３６…ハンドル固定装置
５３…ボルト状部材
５５…ナット状部材
５７…レバー状部材
６１…ボルト（連結軸）
７４…スプリングピン（ピン状部材、締付け量規定手段）
８３…袋状ナット
８３ｂ…閉鎖壁部（締付け量規定手段）
８５…段付きボルト
８５ｅ…段付面（締付け量規定手段）
【図１】
2015097476.tif 000003
【図２】
2015097476.tif 000004
【図３】
2015097476.tif 000005
【図４】
2015097476.tif 000006
【図５】
2015097476.tif 000007
【図６】
2015097476.tif 000008
【図７】
2015097476.tif 000009
【図８】
2015097476.tif 000010
【図９】
2015097476.tif 000011
【図１０】
2015097476.tif 000012
【図１１】
2015097476.tif 000013